(57)【要約】      （修正有）【課題】バストポイントを確実に隠蔽でき、しかも定期健康診断等における一般検診や心電図検査の障害にならない新たな肌着を提供する。【解決手段】所定寸法の円錐形状とした笠型芯地２凹面がわに軟質天然繊維布製の裏地を、また、それとは反対がわの凸面がわに装飾生地４を装着した左右一対のポイントパッド１を有し、それら対峙外周縁付近を正面Ｘ字状に交叉する一対の前部傾斜弾性紐５で連結し、これとは反対がわの外周縁付近に一端６０を結合し、中途範囲が肩掛け部６１となり、胴周りを回り他端６２が、左右ポイントパッド１の対峙がわとは反対がわとなる外周縁付近に夫々連結された一対の背部傾斜弾性紐６を設け、一端６０およびその直下付近の他端６２適所同士を左右個別の上下紐連結片７で摺動調節自在に連結してなる胸部検診用肌着。【選択図】図１
0003139872.tif 000002
【実用新案登録請求の範囲】
【請求項１】
直径６ないし８ｃｍで高さ１ないし３ｃｍの円錐形状または器状とした左右一対の軟質布製または軟質発泡合成樹脂製の笠型芯地における凹面がわとなる裏面に軟質天然繊維布製の裏地を装着すると共に、該裏面とは反対がわとなる凸面がわの表面に装飾生地を外装してなる左右一対のポイントパッドを有し、それら一対のポイントパッドを、夫々左右乳頭およびその近傍に被着可能とするよう配置すると共に、各ポイントパッドの互いに対峙する外周縁付近の、同円錐形状中心から同半径より僅かに短い距離だけ上下がわとなる個所同士を、正面Ｘ字状に交叉する一対の前部傾斜弾性紐で連結した上、各ポイントパッドの対峙がわとは反対がわとなる外周縁付近の同円錐形状中心から同半径より僅かに短い距離上がわとなる個所夫々に一端を結合し、同一端がわ中途範囲が夫々左右各肩掛け部となり、胴周りを回り込むよう取り回した各他端が、左右ポイントパッドの対峙がわとは反対がわとなる外周縁付近の同円錐形状中心から同半径より僅かに短い距離だけ下がわとなる個所夫々に連結された一対の背部傾斜弾性紐を設け、各背部傾斜弾性紐の肩掛け部よりも各ポイントパッド外周縁寄りとなる一端がわ適所、およびそれら一端がわ適所の直下付近に配置した他端がわ適所を、左右夫々個別に設けた上下紐連結片にて摺動調節自在に連結してなるものとしたことを特徴とする胸部検診用肌着。
【請求項２】
笠型芯地が、軟質天然繊維製メリヤス生地または軟質スポンジのシート状素材を直径６ないし８ｃｍの円形に裁断し、円弧長１０ないし３０ｍｍの扇形状範囲を切除し、半径に相当する切断縁同士を所定幅縫い代で重ね合わせ縫着し、高さ１ないし３ｃｍの円錐形状としてなるものとした、請求項１記載の胸部検診用肌着。
【請求項３】
ポイントパッドが、笠型芯地の凹面がわとなる裏面にガーゼの裏地を装着すると共に、該裏面とは反対がわとなる凸面がわの表面にレース生地を外装し、全周縁に沿って半径方向の一定幅を隠蔽可能とするフリルを装着してなるものとした、請求項１または２何れか一記載の胸部検診用肌着。
【請求項４】
上下紐連結片を、上下一対のボタンホールが形成されたゴム紐片からなるものとし、上下のボタンホール夫々に各背部傾斜弾性紐の一端がわおよび他端がわ適所を、摺動調節自在に貫通するよう装着してなるものとした、請求項１ないし３何れか一記載の胸部検診用肌着。                                                                                        
【考案の詳細な説明】
【技術分野】
【０００１】
この考案は、衣類に関するものであり、特に健康診断や検診に際して着用可能な肌着を製造する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                    
【背景技術】
【０００２】
（着目点）
我が国の小、中学校では、必ず就学時および毎学年４月の定期健康診断を行うことによって児童生徒の円滑な学校教育および学習能率の向上の実現に努めており、その受診率は極めて高く、海外児童生徒に比べて高水準の健康管理が実施され続けて来ていて、その診断内容も、身長、体重および座高、視力、聴力の計測検査や、耳鼻咽頭および皮膚疾患の有無、歯および口腔の疾病、異常の有無などの一般検診から、胸部エックス線撮影、心電図検査などといった精密検査の外、検尿、検便などといった内容までと多岐に亘って実施されてきている。
【０００３】
中でも、薄手の無地Ｔシャツ１枚の着用の可能な胸囲計測やエックス線撮影などの場合と異なり、聴診や心電図検査を受ける際には、上半身の下着を全て脱いで受診する必要があることから、特に思春期に当たる小学校高学年から中学校の女子生徒は、制服の上着などを羽織って準備し、順番が来ると診察の直前に上半身裸になるというのが、これまでの一般的な受診方法となってきていて、特に顧みられることもなく、ずっと続けられてきていたが、女子生徒の殆どは、診察のためとはいえ、裸になることに少なからず抵抗感を抱いており、女子生徒によっては極度の決断を要する一大事になってしまい、そのために不安と不快の感情に耐えきれず、診察日の前後に情緒不安定に陥ってしまう者すら出る有様であった。
【０００４】
（従来の技術）
こうした状況を憂慮し、例えば、下記の特許文献（１）に提案されているものに代表されるように、左右のバストトップ部を結んだ線の下側のフロント部に設けられた第１の連結部材と、第１の連結部材より下側のフロント部のカップ部下部のアンダーバスト部近傍か、または、アンダーバスト部に設けられた第２の連結部材とにより、フロントオープンタイプのカップ部を互いに着脱可能に連結し、胸部の苦しさや暑さを感じたときや、病院での診察時などに、バストの造形力の大きな低下や着崩れを起こすことなく、簡単にアンダーバスト部の連結を解除して、緩めることができるようにしたカップ部を有する衣類や、同特許文献（２）に見られるような、全体が編地からなり、横方向に大きく伸縮可能な編組織によって編成された筒状形状のアンダー部を有し、各カップ部のバストポイントを頂点に略半円形状に区画された部分、前脇部および中心部は伸縮性の少ない編組織により編成し、それ以外の部分をプレーン編により編成してなり、体に無理なく、ソフトにフィットして着用感に優れたブラジャー、または、例えば、特許文献（３）のように、肩紐および胸バンドのみからなり、両肩紐の前部中途個所に乳首のみを隠すためのポイントを、上下移動自在に装着した軽量で風通しのよい簡易ブラジャーなどが散見される。
【０００５】
しかし、前者、特許文献（１）に示されているようなカップ部を有する衣類や、特許文献（２）のブラジャーなどは、何れも聴診器や心電図検査機器のセンサーなどを装着するときにカップ部を開放したり、ずらしたりする必要があり、誤ってバストポイントを露出させてしまうことが懸念されることから、女子生徒の不安を完全に解消できるものとはならないという欠点があり、また、特許文献（３）に代表する簡易ブラジャーのようなものは、バストポイントのみを隠すのに有効で聴診の邪魔にならないという特徴を得ることができるものの、胸バンドが心電図検査機器のセンサー装着の障害になる虞があり、やはり胸バンドをずらす必要がでてくる可能性がある外、乳首を隠すポイントが自重や振動などによって不用意にズレ動いてしまうことが懸念されるものであった。                                                                                      
【特許文献１】（１）特開２００６−４５７４１号公報    （２）特開平１１−３６１０６号公報    （３）登録実用新案第３１２３００４号公報
【考案の開示】
【考案が解決しようとする課題】
【０００６】
（問題意識）
上述したとおり、従前までに提案のある各種衣類やブラジャー類は、何れも聴診や心電図検査のときには、バンド部分やカップ部分を開放したり、ずらしたりして聴診器を当たり、センサーを装着する必要があり、通常の装着状態を維持したまま検査を行うことができず、検査中に誤ってバストポイントを露出させてしまうという心配は拭いきれないことから、バストを露出させなければならないという女子生徒の不安や不快感といったストレスを完全に払拭できるものにはなっておらず、教職に身を置いていた時期から現在もなおその状態が続いていて、少しも改善の兆しが見出せない状況である。
【０００７】
（考案の目的）
そこで、この考案は、本願出願人が永年に亘る教員生活で、毎年春の定期健康診断毎に繰り返される女子生徒達の不安や不快感を痛感してきた経験から、バストポイントを確実に隠蔽でき、しかも一般検診や心電図検査の障害にならない新たな肌着の開発はできないものかとの判断から、逸速くその開発、研究に着手し、長期に渡る試行錯誤と幾多の試作、実験とを繰り返してきた結果、今回、遂に新規な構造の胸部検診用肌着を実現化することに成功したものであり、以下では、図面に示すこの考案を代表する実施例と共に、その構成を詳述することとする。                                                                                          
【課題を解決するための手段】
【０００８】
（考案の構成）
図面に示すこの考案を代表する実施例からも明確に理解されるように、この考案の胸部検診用肌着は、基本的に次のような構成から成り立っている。
即ち、直径６ないし８ｃｍで高さ１ないし３ｃｍの円錐形状または器状とした左右一対の軟質布製または軟質発泡合成樹脂製の笠型芯地における凹面がわとなる裏面に軟質天然繊維布製の裏地を装着すると共に、該裏面とは反対がわとなる凸面がわの表面に装飾生地を外装してなる左右一対のポイントパッドを有し、それら一対のポイントパッドを、夫々左右乳頭およびその近傍に被着可能とするよう配置すると共に、各ポイントパッドの互いに対峙する外周縁付近の、同円錐形状中心から同半径より僅かに短い距離だけ上下がわとなる個所同士を、正面Ｘ字状に交叉する一対の前部傾斜弾性紐で連結した上、各ポイントパッドの対峙がわとは反対がわとなる外周縁付近の同円錐形状中心から同半径より僅かに短い距離上がわとなる個所夫々に一端を結合し、同一端がわ中途範囲が夫々左右各肩掛け部となり、胴周りを回り込むよう取り回した各他端が、左右ポイントパッドの対峙がわとは反対がわとなる外周縁付近の同円錐形状中心から同半径より僅かに短い距離だけ下がわとなる個所夫々に連結された一対の背部傾斜弾性紐を設け、各背部傾斜弾性紐の肩掛け部よりも各ポイントパッド外周縁寄りとなる一端がわ適所、およびそれら一端がわ適所の直下付近に配置した他端がわ適所を、左右夫々個別に設けた上下紐連結片にて摺動調節自在に連結してなるものとした構成を要旨とする胸部検診用肌着である。                                                      
【考案の効果】
【０００９】
以上のとおり、この考案の胸部検診用肌着によれば、従前までの小学生高学年から中学生の定期健康診断は、聴診や心電図検査のときにバストを露出させなければならず、女子生徒に不安や不快感を与えるものとなっており、これを解決する衣類やブラジャー類は未だ開発されていなかったが、上記したとおりの形状、大きさ、材質に加え、特別の構造を組み合わせて組み込み、各背部傾斜弾性紐の左右肩掛け部を双肩に掛け、同各背部傾斜弾性紐の他端がわ夫々が左右の脇下を通って胴周りを回り込み、左右一対のポイントパッドで左右乳頭およびその近傍を隠蔽するよう装着可能としてあことから、ポイントパッドの位置ズレやズレ落ちなどの心配がなく、強い締め付け感なども与えずに安定した適度の装着感で健康診断中に渡って装着することができ、しかも、左右一対のポイントパッド以外は、聴診器による診察や心電図検査機のセンサー部取り付けなどの障害にならず、学校医や検査技師などが当該胸部検診用肌着に一切触れる必要がなく、全ての女子児童が安心してストレスなく受診することができるようになるという秀れた特徴が得られるものである。
【００１０】
加えて、左右のポイントパッドの各笠型芯地が、軟質天然繊維製メリヤス生地または軟質スポンジのシート状素材を直径６ないし８ｃｍの円形に裁断し、円弧長１０ないし３０ｍｍの扇形状範囲を切除し、半径に相当する切断縁同士を所定幅縫い代で重ね合わせ縫着し、高さ１ないし３ｃｍの円錐形状としてなるものでは、平面シート状の軟質素材を着用感に秀れた立体形状へと縫製したものとなり、一段と柔軟で肌に優しくて締め付け感が無く、仮令長時間であっても楽に装着することができ、また、各ポイントパッドが、笠型芯地の凹面がわとなる裏面にガーゼの裏地を装着すると共に、該裏面とは反対がわとなる凸面がわの表面にレース生地を外装し、全周縁に沿って半径方向の一定幅を隠蔽可能とするフリルを装着してなるものは、乳頭およびその近傍を確実に隠蔽でき、しかも適度に装飾を施してあることから、児童だけではなく大人までも幅広い年齢層に違和感なく装着できるものとすることができる。
【００１１】
さらに、正面Ｘ字状に交叉する一対の前部傾斜弾性紐、および一対の背部傾斜弾性紐を組み合わせると共に、各背部傾斜弾性紐の肩掛け部よりも各ポイントパッド外周縁寄りとなる一端がわ適所、およびそれら一端がわ適所の直下付近に配置した他端がわ適所を、左右夫々個別に設けた上下紐連結片にて摺動調節自在に連結してなるものとしてあり、左右ポイントパッドの装着状態を安定させ、ズレ動きや脱落によるバストトップの不用意な露出をより確実に阻止することができ、しかも各前部傾斜弾性紐や各背部傾斜弾性紐の適所を結び、各人に合った長さに簡単に調節することが可能である。
また、各上下紐連結片を、上下一対のボタンホールが形成されたゴム紐片からなるものとし、上下のボタンホール夫々に各背部傾斜弾性紐の一端がわおよび他端がわ適所を摺動調節自在に貫通するよう装着してなるものは、各背部傾斜弾性紐の何れか一方の一端がわと、その直下付近に配置された何れか他方の他端がわとの上下距離を自在に調節可能としていて調節機能とフィット感とを高め、ゴム紐片の柔軟性によって皮膚への刺激や傷付きを、さらに確実に防止できるものとなる。                                                                                              
【考案を実施するための最良の形態】
【００１２】
上記したとおりの構成からなるこの考案の実施に際し、その最良もしくは望ましい形態について説明を加えることにする。
ポイントパッドは、着用中、定期健康診断などにおける聴診や心電図検査などの障害とならない範囲で、乳頭およびその近傍を常時隠蔽可能として皮膚への強い締め付けや擦れなどの刺激を抑えた装着を可能とする機能を果たし、左右一対あって、各々が直径６ないし８ｃｍで高さ１ないし３ｃｍの円錐形状または器状とした左右一対の軟質布製または軟質発泡合成樹脂製の笠型芯地における凹面がわとなる裏面に軟質天然繊維布製の裏地を装着すると共に、該裏面とは反対がわとなる凸面がわの表面に装飾生地を外装してなるものとしなければならない。
【００１３】
笠型芯地は、ポイントパッドの寸法および円錐形状を維持すると共に、前部傾斜弾性紐や背部傾斜弾性紐による締め付け力を分散してバストトップへの刺激を最小限に抑えるという機能を果たし、直径６ないし８ｃｍで高さ１ないし３ｃｍの円錐形状または器状とした左右一対の軟質布製または軟質発泡合成樹脂製としなければならず、軟質天然繊維製メリヤス生地または軟質スポンジのシート状素材を直径６ないし８ｃｍの円形に裁断し、円弧長１０ないし３０ｍｍの扇形状範囲を切除し、半径に相当する切断縁同士を所定幅縫い代で重ね合わせ縫着し、高さ１ないし３ｃｍの円錐形状としてなるものとするのが望ましい。
【００１４】
裏地は、笠型芯地における凹面がわとなる裏面を被覆して肌への力学的、化学的刺激を低減し、バストトップを保護するものであり、擦れや化学成分による肌荒れ、湿疹などの発生を防止可能な軟質天然繊維布製とすべきであり、衛生的な木綿生地や絹生地などを用いるのが望ましく、経済性や衛生管理を考慮すると、後述する実施例に示すように、滅菌されたガーゼを用いたものとするのが好都合である。
【００１５】
装飾生地は、笠型芯地の凸面がわとなる表面を被覆して美観を高め、着用時の違和感を軽減するようにし、装着経験の無い児童から高齢者に至るまでの幅広い年齢層に抵抗感なく着用できるようにするという機能を果たし、様々な色彩や模様、絵、写真、文字などの染色またはプリント、あるいは織り柄などの施された生地からなるものとすることが可能であり、当該装飾生地自体にも別の笠型芯地を内蔵するように、例えば裏地を裏面（笠型芯地の凹面）に装着した笠型芯地と、当該装飾生地を表面（笠型芯地の凸面）に装着した別の笠型芯地とを重ね合わせるよう縫合、一体化してポイントパッドを形成するようにしたものなどとすることができ、後述する実施例に示すように、レース生地を用いたものとし、笠型芯地の全周縁に沿って半径方向の一定幅を隠蔽可能とするフリルを追加、装着してなるものとすることができる。
【００１６】
前部傾斜弾性紐は、左右一対のポイントパッドの互いに対峙する外周縁付近同士を、互いの間隔が伸縮自在となるよう連結し、個々人毎に間隔の異なる左右のバストポイント夫々に対応して安定的に着用可能とする機能を果たし、左右ポイントパッドの互いに対峙する外周縁付近の、同円錐形状中心から同半径より僅かに短い距離だけ上下がわとなる個所同士を、正面Ｘ字状に交叉するよう連結する一対からなるものとしなければならず、過剰な締め付けを防止するため、後述する実施例に示すようにマスク用ゴム紐を用いたものとするのが望ましい。
【００１７】
背部傾斜弾性紐は、左右何れか一方のポイントパッドの対峙がわとは反対がわとなる外周縁付近から、左右何れか一方の肩および背部へと周り込み、左右何れか他方の脇下を潜って左右何れか他方のポイントパッドの対峙がわとは反対がわとなる外周縁付近に達し、左右ポイントパッドの対峙がわとは反対がわとなる外周縁付近同士の間隔が伸縮自在となるよう連結し、個々人毎に異なる胸囲や乳頭下がり寸法に合わせて調節自在で、なお且つ左右ポイントパッドを安定に着用可能とする機能を果たし、ポイントパッドの対峙がわとは反対がわとなる外周縁付近で、同円錐形状中心から同半径より僅かに短い距離上がわとなる個所夫々に一端を結合し、同一端がわ中途範囲が夫々左右各肩掛け部となり、胴周りを回り込むよう取り回した各他端が、左右ポイントパッドの対峙がわとは反対がわとなる外周縁付近で、同円錐形状中心から同半径より僅かに短い距離だけ下がわとなる個所夫々に連結された一対からなるものとしなければならず、前記前部傾斜弾性紐と同様の理由から、後述する実施例にも示すように、マスク用ゴム紐を用いたものとするのが望ましい。
【００１８】
上下紐連結片は、各背部傾斜弾性紐の各ポイントパッド外周縁寄りとなる一端がわ適所と、それら一端がわ適所の直下付近に配置した他端がわ適所とを、互いに摺動自在とするよう連結し、個々人毎の胸囲や肩幅寸法に応じて調節自在として安定着用可能とする機能を果たし、各背部傾斜弾性紐の肩掛け部よりも各ポイントパッド外周縁寄りとなる一端がわ適所、およびそれら一端がわ適所の直下付近に配置した他端がわ適所を、左右夫々個別に摺動調節自在とするよう連結したものとしなければならず、肌への刺激を極力抑えたものとするように、角の無い楕円形や円形の輪郭形状のものとすることができる外、各背部傾斜弾性紐連結部分の上下間距離の柔軟な変化を許容可能とするように、後述する実施例に示す如く、上下一対のボタンホールが形成されたゴム紐片からなるものとし、上下のボタンホール夫々に、各背部傾斜弾性紐の一端がわおよび他端がわ適所を摺動調節自在に貫通するよう装着してなるものとすることが可能である。
以下では、図面に示すこの考案を代表する実施例と共に、その構造について詳述することとする。                                                                                                            
【実施例１】
【００１９】
図１の胸部検診用肌着の正面図、図２の展開状態にある笠型芯地の正面図、および図３の組み立て中のポイントパッドの斜視図に示す事例は、所定寸法の円錐形状とした笠型芯地２凹面がわに軟質天然繊維布製の裏地３を、また、それとは反対がわの凸面がわに装飾生地４を装着した左右一対のポイントパッド１を有し、それら対峙外周縁付近を正面Ｘ字状に交叉する一対の前部傾斜弾性紐５で連結し、これとは反対がわの外周縁付近に一端６０を結合し、中途範囲が肩掛け部６１となり、胴周りを回り他端６２が、左右ポイントパッド１の対峙がわとは反対がわとなる外周縁付近に夫々連結された一対の背部傾斜弾性紐６を設け、一端６０およびその直下付近の他端６２適所同士を左右個別の上下紐連結片７で摺動調節自在に連結してなるものとした、この考案の胸部検診用肌着における代表的な一実施例を示すものである。
【００２０】
当該胸部検診用肌着は、左右一対をなすポイントパッド１，１の夫々が、軟質天然繊維製メリヤス生地である天竺木綿または綿ジャージ製のシート状素材を、図２中に示すように、直径Ｄが８ｃｍの円形に裁断し、円弧長Ｌが２５ｍｍとなる扇形状範囲を切除し、半径に相当する切断縁同士を、同図２中に波線で示す扇型縫い代２０で重ね合わせ、縫着し、高さ１８ｍｍの円錐形状とした笠型芯地２を内蔵しており、該笠型芯地２の凹面がわとなる裏面に、長径が１０ｃｍ程の円形に裁断したガーゼ生地を、笠型芯地２と同様に扇形状範囲を切除して、肌に接するがわに縫い目が露出しないよう縫合し、円錐状にしてなる裏地３を装着し、図３中に示すように、その外周縁を笠型芯地２の凸面がわとなる表面がわにダーツ状に折り曲げ、該ダーツ３０内に円錐形状外周縁付近に沿って同心状配置となる輪状ゴム３１を内蔵するよう縫着されたものとする一方、同笠型芯地２の凸面がわとなる表面がわに、長径が１０ｃｍ程の円形に裁断したレース生地を、笠型芯地２と同様に扇形状範囲を切除して縫い目が外部に露出しないよう縫合し、円錐状にしてなる装飾生地４を外装し、その全周縁に沿って半径方向の一定幅（１０ないし１５ｍｍ）を隠蔽可能とするレース生地製のフリル４０を縫着して一体化したものとしてあり、該裏地３、装飾生地４およびフリル４０の各縫合部分は、共に外部に露出しないよう内蔵されたものとしている。
【００２１】
当該左右一対のポイントパッド１，１は、図１中に示すように、夫々左右乳頭およびその近傍に被着可能とするよう配置するものとし、各ポイントパッド１，１の互いに対峙する外周縁付近の、同円錐形状中心Ｃから同半径より僅かに短い距離（２５ｍｍ程度）だけ上下がわとなる個所同士を、夫々の長さが１３ｃｍに設定された、正面Ｘ字状に交叉する一対の制菌加工の施されたマスク用ゴム紐製の前部傾斜弾性紐５，５で連結したものとしている。
【００２２】
また、左右一対のポイントパッド１，１は、同図１中に示すように、夫々の対峙がわとは反対がわとなる外周縁付近の同円錐形状中心Ｃから同半径より僅かに短い距離（２５ｍｍ程度）上がわとなる個所夫々に一端６０，６０を結合し、同一端６０，６０がわ中途範囲が夫々左右各肩掛け部６１，６１となり、胴周りを回り込むよう取り回した各他端６２，６２が、左右ポイントパッド１，１の対峙がわとは反対がわとなる外周縁付近の同円錐形状中心から同半径より僅かに短い距離（２５ｍｍ程度）だけ下がわとなる個所夫々に連結された、長さ９４ｃｍの一対の制菌加工の施されたマスク用ゴム紐製の背部傾斜弾性紐６，６を設けると共に、各肩掛け部６１，６１よりも各ポイントパッド１，１外周縁寄りとなる一端６０，６０がわ適所、およびそれら一端６０，６０がわ適所の直下付近に配置した他端６２，６２がわ適所を、左右夫々個別に設けた長さ５ｃｍ、幅２５ｍｍのゴム紐片からなる上下紐連結片７，７の各中央上下に穿孔した一対のボタンホール７０，７０に、夫々摺動調節自在に貫通するよう装着し、各一端６０，６０がわ適所と、その直下付近に配した他端６２，６２がわ適所とを連結したものとしている。
【００２３】
当該上下紐連結片７，７は、図１中に示すように、天竺木綿などの天然繊維生地を略楕円形に裁断し、外周縁の所定幅を全周に渡って折り返し縫合して補強した上、長径方向の両端付近に背部傾斜弾性紐６，６装着用の貫通孔７０，７０を穿孔してなるものに置き換えることができる。
【００２４】
（実施例１の作用）
以上のとおりの構成からなるこの考案の胸部検診用肌着は、小学校高学年および中学校の女子生徒が定期健康診断を受けるとき、図１中に示す左右一対のポイントパッド１，１の凹面がわとなる裏面のガーゼ（裏地）３に接するよう左右バストトップに装着すると共に、各背部傾斜弾性紐６，６の左右肩掛け部６１，６１を双肩夫々に襷状に掛けた上、長すぎる場合には、該背部傾斜弾性紐６，６や前部傾斜弾性紐５，５の適所を結んで調節するようにし、左右のゴム紐片（上下紐連結片）７，７を各背部傾斜弾性紐６，６の一端６０がわ適所、およびその直下付近に配置した他端６２がわ適所に沿って摺動調節し、各人の体型に合わせるようにして簡便に着用することが可能であり、特に聴診や心電図検査のように、学校医や検査技師の前でバストを露出しなければならないような場面にも、細いマスク用ゴム紐製の各背部傾斜弾性紐６，６や前部傾斜弾性紐５，５が検診の邪魔とはならず、しかも何れもポイントパッド１の円錐形状中心Ｃから同半径より僅かに短い距離上下した位置に結合されており、ポイントパッド１，１が不用意に回転しないよう安定装着可能であり、一対のポイントパッド１，１がバストトップの隠蔽状態を確実に維持するものとなる。
【００２５】
加えて、各ポイントパッド１，１の笠型芯地２を、軟質天然繊維製メリヤス生地である天竺木綿または綿ジャージ製のシート状素材から製造し、肌に直接触れる範囲に滅菌処理されたガーゼ（裏地）３を装着した外、各背部傾斜弾性紐６，６および前部傾斜弾性紐５，５を滅菌処理済みのマスク用ゴム紐製とし、皮膚への刺激を極力抑えて高い安全性を確保したものとなっている。
【００２６】
また、各ポイントパッド１，１の凸面がわの表面にレース生地（装飾生地）４やフリル４０を装着したものとして美観を高め、小中学校の定期健康診断だけに留まらず、従来型下着類のような胸回りの締め付けが無いので、成人や高齢の女性が湯上がり後にリラックスするときなどにも気軽に利用することが可能である。
【００２７】
（実施例１の効果）
以上のような構成からなる実施例１の胸部検診用肌着は、前記この考案の効果の項で記載の特徴に加え、図３中に示すように、各笠型芯地２の凹面がわとなる裏面に装着したガーゼ（裏地）３の外周縁を、該笠型芯地２の凸面がわとなる表面がわにダーツ状に折り曲げ、該ダーツ３０内に円錐形状外周縁付近に沿って同心状配置となる輪状ゴム３１を内蔵するよう縫着されたものとし、ガーゼ（裏地）３自体の柔らかさに、輪状ゴム３０の弾性が加わってバストトップに不要な圧力や擦れが発生するのを、より確実に防止することができるものとなる。
【００２８】
加えて、肌に直接触れる範囲に滅菌処理されたガーゼ（裏地）３や滅菌処理済みのマスク用ゴム紐などを用いて高い衛生状態を確保することができ、しかも肌に触れる部分に金属製部品や化学繊維類などを一切使用していないことから、装着に起因する皮膚障害やアレルギー症状などの発生を効果的に防止することができる。
【００２９】
（結  び）
叙述の如く、この考案の胸部検診用肌着は、その新規な構成によって所期の目的を遍く達成可能とするものであり、しかも製造も容易で、従前からのブラジャーや下着類に比較してバストおよびその周辺の露出状態を高めると共に、バストトップをより確実に隠蔽するものとし、軽量且つ低廉化して遥かに経済的なものとすることができ、毎年行われる定期健康診断のとき、上半身裸になって検診を受けなければならないという女子生徒達の苦痛を大幅に和らげることになるため、これまでこうした児童生徒の心の問題に気付きながら対応する術をもたなかった小中学校は固よりのこと、各種医療機関や介護施設、バストトップに障害を持つ人々や高齢者、あるいはリラックスタイムにバストを締め付けず、通気性に秀れた肌着を所望する女性などからは勿論のこと、こうしたニーズに応えようとする肌着業界においても高く評価され、広範に渡って利用、普及していくものになると予想される。                                                                                      
【図面の簡単な説明】
【００３０】
図面は、この考案の胸部検診用肌着の技術的思想を具現化した代表的な一実施例を示すものである。
【図１】胸部検診用肌着を示す正面図である。
【図２】製造途中にある笠型芯地を示す正面図である。
【図３】製造途中にあるポイントパッドを示す斜視図である。
【符号の説明】
【００３１】
１      ポイントパッド
Ｃ    同  円錐形状中心
２      笠型芯地
２０    同  扇型縫い代
Ｄ    同  直径
Ｌ    同  円弧長
３      ガーゼ（裏地）
３０    同  ダーツ
３１    同  輪状ゴム
４      レース生地（装飾生地）
４０    同  フリル
５      前部傾斜弾性紐
６      背部傾斜弾性紐
６０    同  一端
６１    同  肩掛け部
６２    同  他端
７      ゴム紐片（上下紐連結片）
７０    同  ボタンホール（貫通孔）                                                                                  
【図１】
0003139872.tif 000003
【図２】
0003139872.tif 000004
【図３】
0003139872.tif 000005